(57)【要約】      （修正有）  【課題】古紙、段ボール等のリサイクル可能資源の重量を秤量台上でそのカートごと計量するに際し、搬入作業がし易く、かつ、第三者が計量時に古紙重量を誤魔化した場合等の不正防止に対する工夫を施したカートスケールを提供する。  【解決手段】プレート状の秤量台及び秤量台裏面にロードセルを有するフロアスケールと、秤量台とは独立して床面から立設され、秤量台の上面を所定の高さで覆う秤量台カバーと、フロアスケールの近傍に設けられ、秤量台が検知したカートの重量及びカート内に搭載されているリサイクル資源相当量のポイントを表示する操作パネルとから成る。秤量台カバーに、古紙搬入者の足が入らない程度の開口幅を有する車輪案内溝を設ける。  【選択図】図１
0003160736.tif 000002
【実用新案登録請求の範囲】
【請求項１】
古紙、段ボール等のリサイクル可能資源を搭載したカートの総重量を測定するカートスケールであって、
プレート状の秤量台及び該秤量台の裏面にロードセルを有するフロアスケールと、
前記フロアスケールの近傍に設けられ、前記秤量台が検知したカート総重量及び該カート内に搭載されているリサイクル資源相当量のポイント等のリサイクル関連情報を表示する操作パネルと、から成り、
前記フロアスケールの秤量台上には、
前記カートの車輪を乗り入れ側から進行方向に向かって案内するガイド部材と、規定位置で停止させる位置決め部材とが設けられていることを特徴とするカートスケール。
【請求項２】
カートの車輪を案内するガイド部材は、前記秤量台とは独立して床面から立設され、前記秤量台の上面を所定の高さで覆う秤量台カバーであって、
該秤量台カバーには、前記カートの前輪と後輪のそれぞれを別々に案内すべく、リサイクル可能資源搬入者の足が入らない程度の開口幅を有する前輪用案内溝と後輪用案内溝とが設けられ、
車輪の位置決め部材は、前記前輪用案内溝の終端に設けられた車輪止めであることを特徴とする請求項１記載のカートスケール。
【請求項２】
秤量台カバーの車輪案内溝のカート乗り入れ側に、観音開き状の開閉扉を設けたことを特徴とする請求項２記載のカートスケール。
【請求項３】
カートの車輪を案内するガイド部材と、該車輪の位置決め部材とは、いずれも前記秤量台上に固定された部材であって、
前記ガイド部材は、前記カートの後輪の両側面近傍に立設された後輪案内ガイドであり、
前記車輪の位置決め部材は、前輪の両側面と正面とに立設部材を有する前輪ストッパーであることを特徴とする請求項１又は請求項２に記載のカートスケール。
【請求項４】
秤量台カバー上の両側及び奥側に手摺を設置すると共に、該秤量台カバー上に搬入者以外の者が浸入した場合は、その侵入者を検知する不正防止センサーを設けたことを特徴とする請求項１〜請求項３のいずれかに記載のカートスケール。
【請求項５】
操作パネルには、前記カート重量及びリサイクル資源相当量のポイント以外に、リサイクル資源相当量のＣＯ２削減量等のリサイクル関連情報が表示されることを特徴とする請求項１〜請求項４のいずれかに記載のカートスケール。
【考案の詳細な説明】
【技術分野】
【０００１】
本考案は、例えば古紙、段ボール、空き缶、ペットボトル等のリサイクル可能資源の重量を秤量台上でそのカートごと効果的に計量し得るカートスケールに関し、特に計量作業のし易さと、第三者が計量時に古紙重量を誤魔化した場合等の不正防止に対する工夫を施したカートスケールに関する。
【背景技術】
【０００２】
近年、地球温暖化防止の観点から、あらゆる分野においてＣＯ２排出量の削減が急務になっている。
【０００３】
そのため、例えば古紙、段ボール、空き缶等のリサイクル可能資源については、多数の買い物客が集まるスーパーマーケットやショッピングセンター等が好適なリサイクル可能資源の集積場所となり、古紙回収業者にとってはこれらの集積場所が効率的な回収ポイントとなる。
【０００４】
この場合、買い物客は、買い物のついでに各自の家庭で発生したリサイクル可能資源をショッピングセンターに自家用車で持ち込み、そこに常備されているカートで買い物の前に、まずリサイクル可能資源の排出を済ますのである。
【０００５】
したがって、ショッピングセンター等のリサイクル可能資源の回収ポイントには、このような買い物客が運び込んだリサイクル可能資源の重量をカートごと測定するため、例えば特許文献１に示すようなカートスケールが使用されていた。
【０００６】
すなわち、図６の斜視図に示す従来のカートスケール２００は、リサイクル可能資源の上記回収ポイント位置まで移動可能な車輪付き秤量台１０１と、その近傍に信号線１０２でつながった操作パネル１０３とから成る。
【０００７】
秤量台１０１の内部には、図示しないロードセルが設けられており、このロードセルにより、秤量台１０１上に搬入された図示しないカートをこれに搭載されているリサイクル可能資源ごと測定し、その総重量又は風袋のカート重量を差し引いたリサイクル可能資源のみの重量を操作パネル１０３上に表示するようになっている。
【０００８】
しかしながら、スーパーマーケット等に常設されているカートは、通常、車輪軸を支える金具が四輪とも旋回できるものが多用されているため、前進しても先頭が左右の何れかの方向に動いてしまい、秤量台１０１上へのカートの搬入作業と、秤量台１０１上での位置決め作業がしずらいという問題があった。
【０００９】
また、従来のカートスケール２００は、カートと共に搬入者が誤って秤量台１０１上に載った場合や、搬入者又は第三者がリサイクル資源の搭載量を増やさんとして悪意で秤量台１０１上に乗った場合には、搬入者の体重も合算して表示してしまうという不都合があった。
【先行技術文献】
【特許文献】
【００１０】
【特許文献１】特開２００１−１８８０２２号公報（段落００１１、図１）
【考案の概要】
【考案が解決しようとする課題】
【００１１】
そこで、本考案は、上記従来技術の不都合を解消せんとするもので、例えば古紙、段ボール、空き缶、ペットボトル等のリサイクル可能資源の重量を秤量台上でそのカートごと計量するに際し、秤量台上へのカートの搬入とその位置決め作業がし易く、しかも計量時に古紙重量を誤魔化す等の不正行為をした場合の対策をも施したカートスケールを提供することを目的とする。
【課題を解決するための手段】
【００１２】
上記課題を達成するため、本考案に係るカートスケールは、古紙、段ボール等のリサイクル可能資源を搭載したカートの総重量を測定するカートスケールであって、プレート状の秤量台及び該秤量台の裏面にロードセルを有するフロアスケールと、前記フロアスケールの近傍に設けられ、前記秤量台が検知したカート総重量及び該カート内に搭載されているリサイクル資源相当量のポイント等のリサイクル関連情報を表示する操作パネルと、から成り、前記フロアスケールの秤量台上には、前記カートの車輪を乗り入れ側から進行方向に向かって案内するガイド部材と、規定位置で停止させる位置決め部材とが設けられていることを特徴とする。
【００１３】
上記カートの車輪を案内するガイド部材としては、前記秤量台とは独立して床面から立設され、前記秤量台の上面を所定の高さで覆う秤量台カバーであって、該秤量台カバーには、前記カートの前輪と後輪のそれぞれを別々に案内すべく、リサイクル可能資源搬入者の足が入らない程度の開口幅を有する前輪用案内溝と後輪用案内溝とが設けられ、車輪の位置決め部材は、前記前輪用案内溝の終端に設けられた車輪止めとしても良い。
【００１４】
この場合、秤量台カバーの車輪案内溝のカート乗り入れ側に、観音開き状の開閉扉を設けても良い。
【００１５】
一方、上記カートの車輪を案内するガイド部材と、該車輪の位置決め部材の別の手段としては、いずれも前記秤量台上に固定された部材であって、前記ガイド部材は、前記カートの後輪の両側面近傍に立設された後輪案内ガイドであり、前記車輪の位置決め部材は、前輪の両側面と正面とに立設部材を有する前輪ストッパーとしても良い。
【００１６】
上記いずれの場合においても、秤量台カバー上の両側及び奥側に手摺を設置すると共に、該秤量台カバー上に搬入者以外の者が浸入した場合は、その侵入者を検知する不正防止センサーを設けても良い。
【００１７】
また、操作パネルには、前記カート重量及びリサイクル資源相当量のポイント以外に、リサイクル資源相当量のＣＯ２削減量等のリサイクル関連情報が表示されるようにしても良い。
【考案の効果】
【００１８】
本考案に係るカートスケールは、フロアスケールの秤量台上に、カートの車輪を乗り入れ側から進行方向に向かって案内するガイド部材と、規定位置で停止させる位置決め部材とが設けられているので、リサイクル可能資源の秤量台への搬入作業と位置決め作業とがし易い。
【００１９】
また、秤量台カバー上の両側及び奥側に手摺を設置すると共に、該手摺の適当な位置に不正防止センサーを設けた場合には、リサイクル可能資源の計量時にカート搬入者又は第三者が例えば秤量台カバーの車輪案内溝内に足を入れて体重を掛け、計量データを誤魔化す等の不正行為をしても、これを効果的に防止することができる。
【考案を実施するための形態】
【実施形態１】
【００２０】
以下、本考案の実施形態を図面に基づいて説明する。
【００２１】
図１は、本考案に係るカートスケール１００の構成部品の斜視図である。図に示すように、本考案のカートスケール１００は、カートスケール本体１と、このカートスケール本体１の近傍に配置された操作パネル２とから成る。
【００２２】
本実施形態では、この操作パネル２内の情報は、例えば図示省略のスーパーマーケットや各種ショッピングセンター等の集積ポイントに置かれたサーバー３に送受信するようになっている。
【００２３】
カートスケール本体１は、図２に示すフロアスケール４のスロープ５部分が図の左下方に食み出した状態で、フロアスケール４の秤量台６部分のみに、フロアスケールカバー１８を被せたものである。
【００２４】
図２に示すように、フロアスケール４は、市販されている既製品のもので、カートＫ（図３参照）の乗り入れ部分であるスロープ５と、スロープ５の頂上面と地上（又は床面）Ｇからの高さＨが同一高さに設定された秤量台６と、秤量台６の裏面に設けられているロードセル７とから成る。
【００２５】
秤量台６は、スーパーマーケット等に買い物にきた客がスーパーマーケットに常設のカートＫに古紙等のリサイクル資源を積み替えて乗り入れても十分な広さの平面寸法と、その総重量に撓まないだけの強度を有しており、その床面からの高さＨは３０〜４０ｍｍ程度の薄いものである。
【００２６】
なお、本実施形態のカートスケール１００では、リサイクル可能資源として新聞、雑誌、段ボール等の古紙を想定しているが、リサイクルが可能なものであれば、その他例えばスチール缶、ペットボトル、廃プラスチック、発泡スチロール等のような金属又はケミカル素材であっても良いものとする。
【００２７】
そして、図２の秤量台６上に乗り入れ、検知した古紙等の重量データは、ロードセル７と前述の操作パネル２とを結ぶ信号線８により、操作パネル２に出力できるようになっている。
【００２８】
図１に戻り、フロアスケールカバー１８は、四角形状の鋼板製のもので、内蔵されている秤量台６（図２参照）の全体を囲うように地上（又は床面）Ｇから独立して設けられており、カート搬入者がその上に載っても変形しない程度の強度を有する。
【００２９】
また、フロアスケールカバー１８の表面には、中心間距離がＰで、それぞれの開口幅がＷで、かつ、全長がＬからなるカートＫの車輪案内溝９（またはキャスター案内溝）が２列開口しており、それぞれの車輪案内溝９のスロープ５側は、カートタイヤ１０（図３参照）の案内溝９への進入及び離脱が可能なように入口側が開口している。
【００３０】
さらに、それぞれの車輪案内溝９の中心位置には、表面がフロアスケールカバー１８表面から出ない高さの車輪案内パイプ１９が車輪案内溝９の溝幅Ｗを２分割するように、スロープ５側から最奥部まで張り渡されている。車輪案内パイプ１９で２分割された車輪案内溝９ａ、９ｂの内幅は、カート搬入者が足を踏み入れることができない狭い寸法になっている。このように車輪案内溝９を車輪案内パイプ１９で二分割した理由は、図３に示すように内側に位置する車輪案内溝９ａをカートＫの前輪用案内溝として使用し、外側に位置する車輪案内溝９ｂをカートＫの後輪用案内溝として使用するためでもある。
【００３１】
すなわち、案内パイプ１９で二分割された車輪案内溝９ａ、９ｂの溝幅Ｗ１（Ｗ１＝[Ｗ−パイプ外径]×１／２）は、カートＫの車輪が出入り可能な最低限の溝幅であって、かつ、カート搬入者がこの上に乗ってもカート搬入者の足が入り込まない溝幅に設定されているのである。
【００３２】
また、車輪案内溝９の最奥部は、更にＴ字状に屈曲されて当該屈曲部がカートタイヤ１０の車輪止め２０となっている。すなわち、前述した案内溝９ａ、９ｂの奥行き長さＬは、カートＫのタイヤ１０を案内溝９ａ、９ｂ及び案内パイプ１９に沿って進入させ、タイヤ１０が上記車止め２０に接触した時点で、重量測定の定位置あるとともに、カートＫのスロープ５側が案内溝から食み出さない程度に収容し得る長さである。
【００３３】
そして、このような奥行き長さＬを有する案内溝９ａ、９ｂの入り口部には、カートＫの当該案内溝９ａ、９ｂ内への進入及び離脱を許容する観音開き扉２１が設けられている。
【００３４】
また、フロアスケールカバー１８上には、フロアスケールカバー１８上に乗ったカート搬入者が落ちないように、パイプを曲げて作られた側面手摺１１が、また、奥の正面には、正面手摺１２が設けられており、正面手摺１２には本考案のカートスケール１００の操作方法や注意書きが記載された表示板１３が掛けられている。
【００３５】
なお、図示は省略したが、側面手摺１１には、カート搬入者でない第三者が入口側から秤量台カバー１８内に浸入した場合に、その第三者の侵入を検知する不正防止検知用センサーを設けても良い。この場合の検知手段としては、人体検知用赤外線センサーや、投光器と受光器とからなる光電管式の非接触式センサーを使用するのが好ましい。
【００３６】
操作パネル２は、カートスケール１００の近傍に置く自立式のもので、カート搬入者が誰であるかを認識し、カートスケール本体１に測定した重量のゼロ払いの指示や、測定重量の瞬時値、積算値の切り替え指示等を行なうものである。そのため、操作面には、カート搬入者の専用カード差込口１６と、上記スイッチ類１５とが設けられている。なお、専用カード差込口１６に代えて、例えば指認証（静脈紋検知）等の検出手段の検出口を操作面に設けても良い。
【００３７】
また、表示パネル１７には、ロードセル７からのカートスケール１００の重量測定データが瞬時に表示されるとともに、古紙重量からカートＫの重量（風袋）を差し引いた正味の古紙重量と、当該リサイクル可能資源相当量のエコポイントと、その積算値が、専用カード差込口１６に差し込んだ図示しない専用カードに印字されるようになっている。
【００３８】
この場合の専用カードは、磁気カード、ＩＣカードその他のカードであっても良く、ポイントが溜まるとそのポイント量に応じて、スーパーマーケットの販売商品と交換できるようになっている。
【００３９】
なお、表示パネル１７及びカート搬入者が手持ちの専用カードには、カート搬入者がカートスケール１００に持ち込んだリサイクル資源と等価のＣＯ２削減量等のリサイクル関連信号が表示されるようにしても良い。
【００４０】
次に、図３に基づいて本考案のカートスケール１００の使用方法を説明する。
【００４１】
図３は、図１において、カート搬入者が古紙等のリサイクル可能資源を積み込んだカートＫを本考案のカートスケール１００に持ち込み、図の車輪案内溝９ａ、９ｂと、車輪案内パイプ１９とに沿って、秤量台６上に乗り入れた場合におけるＡ−Ａ矢視の部分断面図である。
【００４２】
まず、カート搬入者は、古紙回収業者から与えられた専用カードを図１で説明した操作パネル２のカード差込口１６に差し入れる。操作パネル２は、差し入れられたカード情報から資源回収ポイントの利用者が誰であるかを直ちに認識する。
【００４３】
カート搬入者は、リサイクル資源が搭載されているカートＫを図１で説明したスロープ５からフロアスケール４の秤量台６上に押し入れる。その際、カート搬入者は、図３に示すように、まず前輪を前輪用案内溝９ａに沿って入り口から押し込み、続いて後輪を同様に後輪用案内溝９ｂに沿って奥方向に押し入れる。この場合、フロアスケールカバー１８上には、カートＫの搬入用案内溝９ａ、９ｂが進行方向に沿って形成されているので、カート搬入者は、カートＫをこれらの搬入用案内溝９ａ、９ｂ又は案内パイプ１９に沿って容易にフロアスケール４の秤量台６上に移動することができる。
【００４４】
このとき、カートスケール１００のロードセル７は、瞬時に秤量台６上の全搭載重量を操作パネル２に送信する。操作パネル２では、予め入力されているカートＫ重量を受信重量データから風袋重量として差し引き、リサイクル可能資源のみの重量、積算値等を操作パネル２に表示すると共に、これらデータをカード差込口１６に差し入れられている専用カードに印字する。
【００４５】
なお、カート搬入者が秤量台６上に載っても溝幅Ｗ１が人体の足幅よりも狭く形成されているので、間違って足を車輪案内用溝の中に踏み入れることがない。したがって、本考案のカートスケール１００は、測定した古紙重量にカート搬入者の体重が合算されることはない。
【００４６】
測定が終わったら今度は、カートＫの後輪を後輪用案内溝９ｂ又は案内パイプ１９に沿って秤量台６から引き出す。
【００４７】
このように、本考案のカートスケール１００は、フロアスケールカバー１８上に予めカートＫの前輪及び後輪専用の搬入用案内溝９ａ、９ｂが進行方向に沿って形成されているので、カート搬入者はカートスケール１００への搬入及び搬出作業が非常に楽になる。
【００４８】
また、カート搬入者は、リサイクル可能資源を搬入する度に自分の専用カードのポイントが溜まるので、買い物のついでにスーパーマーケットの販売商品と交換することができ、更なる資源回収の意欲を持つことができる。
【００４９】
このように、本考案のカートスケール１００は、一般買い物客によるスーパーマーケット等のリサイクルポイントへのリサイクル可能資源の搬入を促進させることができるのである。
【００５０】
そして、一般買い物客と企業間のカーボンオフセットにも効果的に利用することができ、ひいてはＣＯ２排出量の抑制、地球規模の環境負荷改善等に役立てることができるのである。
【実施形態２】
【００５１】
図４は、本考案に係るカートスケール１００Ａの第２実施形態の斜視図、図５は、図４のカートスケール１００Ａを階段状Ｂ−Ｂ線で切断した横断面図である。なお、図４においては、図１で示したカートＫ、操作パネル２、サーバー３、側面手摺１１、正面手摺１２の図示は省略したが、本実施形態２においても勿論備えている。
【００５２】
本実施形態２に示したフロアスケール１００Ａが、前述した実施形態１のカートスケール１００と異なる点は、実施形態１では車輪のガイド部材及び位置決め部材として、フロアスケールカバー１８に設けた車輪案内溝９、車輪案内パイプ１９及び車輪止め２０としていたが、本実施形態２では、ガイド部材として後輪案内ガイド３０を、位置決め部材として前輪ストッパー３１をいずれも秤量台６（図５参照）上に固定した点にある。
【００５３】
すなわち、図１に示す後輪案内ガイド３０は、図５に示すように、その横断面がカートＫの後輪を搬入方向に案内するため、後輪のタイヤ幅よりも若干広い内幅を有する凹状の金属製部材とされている。
【００５４】
一方、前輪の位置決め部材は、前輪の両側面と正面とに立設部材を有する金属製の前輪ストッパー３１とされている。そして、これら部材は、図５に示すように、いずれも秤量台６上の所定位置（測定時の定位置）において、カートの前輪間隔Ｆと、後輪間隔Ｒとに一致する間隔で溶接、固定されている。
【００５５】
また、スロープ５Ａの頂部及びフロアスケールカバー１８Ａの表面は、上記後輪案内ガイド３０及び前輪ストッパー３１のタイヤ１０設置面と、床面からの高さＨ１が一致する高さに設定されている。
【００５６】
したがって、この実施形態２のカートスケール１００Ａにおいても、カートＫを秤量台６上に搬入するに際し、搬入者は、カートＫの前輪タイヤ１０と後輪タイヤ１０とが、それぞれ秤量台６上の前輪ストッパー３１と後輪案内ガイド３０とに接触する位置まで前進させれば良いから、カートスケール１００Ａへの搬入作業が非常に楽になる。
【００５７】
また、リサイクル可能資源を搬入する度に自分の専用カードのポイントが溜まる点及びその他の点についても同様であり、このタイプのカートスケール１００Ａは、実施形態１のカートスケール１００と異なり、簡単な構造でありながら、実施形態１と同様の効果を奏することができる。
【００５８】
以上のとおり、本考案に係るカートスケールは、上記２つの実施形態のカートスケール１００、１００Ａについて説明したが、これら実施形態のものに限定されないことは勿論であり、実用新案登録請求の範囲に記載された範囲で種々の変形、組み合わせが可能であり、これらの変形、組み合わせ例も本考案の範囲に含まれる。
【図面の簡単な説明】
【００５９】
【図１】本考案に係るカートスケールの構成部品の斜視図である。
【図２】図１のカートスケールに内蔵されているフロアスケールの斜視図である。
【図３】図１のカートスケールのＡ−Ａ断面図である。
【図４】本考案に係るカートスケールの第２実施形態の斜視図である。
【図５】図４のカートスケールを階段状Ｂ−Ｂ線で切断した断面図である。
【図６】従来のカートスケールの斜視図である。
【符号の説明】
【００６０】
１   カートスケール本体
２   操作パネル
３   サーバー
４   フロアスケール
５、５Ａ   スロープ
６   秤量台
７   ロードセル
８   信号線
９   車輪案内溝
１０  カートタイヤ
１８、１８Ａ    フロアスケールカバー    
１９   車輪案内パイプ
１００、１００Ａ   カートスケール（本考案）
Ｋ   カート
【図１】
0003160736.tif 000003
【図２】
0003160736.tif 000004
【図３】
0003160736.tif 000005
【図４】
0003160736.tif 000006
【図５】
0003160736.tif 000007
【図６】
0003160736.tif 000008
【手続補正書】
【提出日】平成22年4月20日(2010.4.20)
【手続補正１】
【補正対象書類名】実用新案登録請求の範囲
【補正対象項目名】全文
【補正方法】変更
【補正の内容】
【実用新案登録請求の範囲】
【請求項１】
古紙、段ボール等のリサイクル可能資源を搭載したカートの総重量を測定するカートスケールであって、
プレート状の秤量台及び該秤量台の裏面にロードセルを有するフロアスケールと、
前記フロアスケールの近傍に設けられ、前記秤量台が検知したカート総重量及び該カート内に搭載されているリサイクル資源相当量のポイント等のリサイクル関連情報を表示する操作パネルと、から成り、
前記フロアスケールの秤量台上には、
前記カートの車輪を乗り入れ側から進行方向に向かって案内するガイド部材と、規定位置で停止させる位置決め部材とが設けられていることを特徴とするカートスケール。
【請求項２】
カートの車輪を案内するガイド部材は、前記秤量台とは独立して床面から立設され、前記秤量台の上面を所定の高さで覆う秤量台カバーであって、
該秤量台カバーには、前記カートの前輪と後輪のそれぞれを別々に案内すべく、リサイクル可能資源搬入者の足が入らない程度の開口幅を有する前輪用案内溝と後輪用案内溝とが設けられ、
車輪の位置決め部材は、前記前輪用案内溝の終端に設けられた車輪止めであることを特徴とする請求項１記載のカートスケール。
【請求項３】
秤量台カバーの車輪案内溝のカート乗り入れ側に、観音開き状の開閉扉を設けたことを特徴とする請求項１又は請求項２に記載のカートスケール。
【請求項４】
カートの車輪を案内するガイド部材と、該車輪の位置決め部材とは、いずれも前記秤量台上に固定された部材であって、
前記ガイド部材は、前記カートの後輪の両側面近傍に立設された後輪案内ガイドであり、
前記車輪の位置決め部材は、前輪の両側面と正面とに立設部材を有する前輪ストッパーであることを特徴とする請求項１〜請求項３のいずれかに記載のカートスケール。
【請求項５】
秤量台カバー上の両側及び奥側に手摺を設置すると共に、該秤量台カバー上に搬入者以外の者が侵入した場合は、その侵入者を検知する不正防止センサーを設けたことを特徴とする請求項１〜請求項４のいずれかに記載のカートスケール。
【請求項６】
操作パネルには、前記カート重量及びリサイクル資源相当量のポイント以外に、リサイクル資源相当量のＣＯ２削減量等のリサイクル関連情報が表示されることを特徴とする請求項１〜請求項５のいずれかに記載のカートスケール。
【手続補正２】
【補正対象書類名】明細書
【補正対象項目名】００１６
【補正方法】変更
【補正の内容】
【００１６】
上記いずれの場合においても、秤量台カバー上の両側及び奥側に手摺を設置すると共に、該秤量台カバー上に搬入者以外の者が侵入した場合は、その侵入者を検知する不正防止センサーを設けても良い。
【手続補正３】
【補正対象書類名】明細書
【補正対象項目名】００３５
【補正方法】変更
【補正の内容】
【００３５】
なお、図示は省略したが、側面手摺１１には、カート搬入者でない第三者が入口側から秤量台カバー１８内に侵入した場合に、その第三者の侵入を検知する不正防止検知用センサーを設けても良い。この場合の検知手段としては、人体検知用赤外線センサーや、投光器と受光器とからなる光電管式の非接触式センサーを使用するのが好ましい。